(57)【要約】  景品またはサービスと引き換えるためのポイントを顧客に対して付与するための支援を行う端末装置１に、顧客が加入しているポイントサービスごとに、その顧客のポイントのうちの所定の期間内に失効する分の点数である失効予定点数を算出する、失効間近点数算出部１２３と、失効間近点数算出部１２３による算出結果に基づいて、失効予定点数が所定の点数以上であるポイントサービスを知らせる画面を表示するポイント情報表示処理部１２４と、を設ける。
2009047828.tif 000002
【特許請求の範囲】
【請求項１】
景品またはサービスと引き換えるためのポイントを顧客に対して付与するための支援を行うポイント付与支援システムにおいて、
顧客が加入しているポイントサービスのポイント数を示すポイントデータを取得するポイント数データ取得手段と、
前記ポイント数データ取得手段によって取得された前記ポイントデータに基づいて、ポイントサービス毎に、前記ポイントのうち、所定の期間内に失効する分の点数である失効予定点数を算出する、算出手段と、
前記算出手段による算出結果に基づいて、前記失効予定点数が所定の点数以上であるポイントサービスを知らせる画面を表示する表示手段と、
を有することを特徴とするポイント付与支援システム。
【請求項２】
顧客が加入しているポイントサービスの事業者が当該顧客に対して発行する会員カードを集約したカードであるマルチカードから情報を取得する情報取得手段、を有し、
前記失効予定点数算出手段は、前記マルチカードに集約されている前記会員カードに係るポイントサービスごとの前記失効予定点数を算出する、
請求項１記載のポイント付与支援システム。
【請求項３】
前記表示手段は、前記画面として、前記失効予定点数の価値が大きい順にポイントサービスの識別情報を優先的に配置した画面を表示する、
請求項１または請求項２記載のポイント付与支援システム。
【請求項４】
前記表示手段は、前記画面として、前記失効予定点数が失効するのが早い順にポイントサービスの識別情報を優先的に配置した画面を表示する、
請求項１または請求項２記載のポイント付与支援システム。
【請求項５】
前記表示手段は、前記画面として、何らかの景品またはサービスと引き換えることができる点数に近いポイントが貯まっているポイントサービスから順に当該ポイントサービスの識別情報を優先的に配置した画面を表示する、
請求項１または請求項２記載のポイント付与支援システム。
【請求項６】
景品またはサービスと引き換えるためのポイントを顧客に対して付与するための支援を行うポイント付与支援方法において、
コンピュータに、
顧客が加入しているポイントサービスのポイント数を示すポイントデータを取得する処理と、
取得した前記ポイントデータに基づいて、ポイントサービス毎に、前記ポイントのうち、所定の期間内に失効する分の点数である失効予定点数を算出する算出処理と、
前記算出処理の結果に基づいて、前記失効予定点数が所定の点数以上であるポイントサービスを知らせる画面を表示する表示処理と、
を実行させることを特徴とするポイント付与支援方法。
【請求項７】
景品またはサービスと引き換えるためのポイントを顧客に対して付与するための支援を行うポイント付与支援方法において、
顧客が加入している各ポイントサービスの事業者が当該顧客に対して発行する会員カードを集約したカードであるマルチカードを当該顧客に渡しておき、
顧客が買物の支払いをする際に、当該顧客の前記マルチカードをカードリーダに読み取らせることによって、当該マルチカードに集約されている前記会員カードを判別し、
判別した前記会員カードのポイントサービスごとの、顧客が貯めている前記ポイントのうちの所定の期間内に失効する分の点数である失効予定点数を算出する処理をコンピュータに実行させ、
算出結果に基づいて、前記失効予定点数が所定の点数以上であるポイントサービスを知らせる画面をディスプレイに表示する、
ことを特徴とするポイント付与支援方法。
【請求項８】
景品またはサービスと引き換えるためのポイントを顧客に対して付与するための支援を行うコンピュータに用いられるコンピュータプログラムにおいて、
前記コンピュータに、
顧客が加入しているポイントサービスのポイント数を示すポイントデータを取得する取得処理と、
ポイントサービス毎に、前記ポイントのうち、所定の期間内に失効する分の点数である失効予定点数を算出する算出処理と、
前記算出処理の結果に基づいて、前記失効予定点数が所定の点数以上であるポイントサービスを知らせる画面を表示する表示処理と、
を実行させることを特徴とするコンピュータプログラム。
【発明の詳細な説明】
【技術分野】
【０００１】
本発明は、景品との引換え用のポイントを顧客に付与するための支援を行うシステムおよび方法などに関する。
【背景技術】
【０００２】
近年、商品を購入しまたはサービスを受けてくれる顧客に対してポイントサービスを提供する事業者が増えている。ポイントサービスは、代金または買物の回数などに応じてポイントを付与し、顧客が貯めたポイントを景品などと交換する、というサービスである。「マイレージサービス」などの他の名称で呼ばれることもある。【０００３】
事業者が独自にポイントサービスを提供することもあれば、複数の事業者が団体を形成し共通のポイントサービスを提供することもある。また、クレジットカードの事業者つまり信販会社もポイントサービスを提供しており、クレジットカードで支払いを行った顧客に対してポイントを付与する。【０００４】
顧客が獲得したポイントは、サーバなどによって他の顧客のポイントとともに一元的に管理されることもあれば、その顧客のカード（会員カード）に記憶され管理されることもある。【０００５】
事業者は、ポイントと引換えに、装飾品、日用品、食料品、書籍、または衣料品など様々な景品を顧客に提供する。上記のような物品だけでなく、金券、商品券、またはチケットなども、景品として提供される。または、旅行、食事、または宿泊などのサービスが景品として提供されることもある。【０００６】
よって、顧客は、貯めたポイントと引換えに様々な景品を取得することができる。しかも、複数のポイントサービスに加入していれば、景品の選択肢が増える。複数のポイントサービスを取り扱う店舗も増えている。【０００７】
ところで、通常、ポイントには、引換えの有効期限が定められていることが多い。この期限が過ぎてしまうと、ポイントは失効してしまう。【０００８】
特許文献１には、ポイントの失効を低減するための方法が開示されている。特許文献１に開示される方法によると、店舗端末は、利用者が購入した商品またはサービスの代金に基づいて算出したポイント値、利用者識別情報、店舗識別情報および有効期限を含むポイント情報を管理サーバに送信する。管理サーバは、店舗端末から受信したポイント情報をポイント情報格納部に格納する制御部を有し、該制御部は、上記ポイント情報格納部に格納された各利用者のポイント情報について、当該ポイント情報に含まれているポイント値の有効期限までの残り期限を算出し、該算出した残り期限が所定の期限以下である場合に、当該ポイント情報に含まれている利用者識別情報に基づいて特定した携帯通信端末に上記所定の期限以下となったポイントに関する情報を送信する。【０００９】
また、複数のポイントサービスに加入している顧客は、ポイントサービスごとの会員カードを持ち歩かなければならず、不便であった。そこで、特許文献２、３に記載されるような方法が提案されている。【００１０】
特許文献２に記載される方法によると、１枚のＩＣカードに複数の店舗別あるいは共通ポイントシステムに対応するデータテーブルを持たせ、且つそれぞれのテーブル内のレコードに店舗の識別子を持たせ、加点、減点の処理を行う。【００１１】
特許文献３に記載される方法によると、顧客はユーザー端末で個人情報を登録して管理センターサーバーに送信する。管理センターサーバーはバーコードＩＤを生成してユーザー端末に送信する。同一の顧客に対しては複数の会員システムに共通のバーコードＩＤを使用する。顧客は加盟店で買い物する際に表示部にバーコードＩＤを表示させ、商店端末はこれをバーコードリーダーで読み取り、会員データと共に管理センターサーバーに送信する。管理センターサーバーは複数の会員システムの会員データを顧客マルチデータベースで管理する。顧客は加入している複数の会員システムの会員データをユーザー端末で管理センターサーバーから受信して一覧表示することができる。【００１２】
しかし、特許文献１〜３に記載されるような従来の方法では、複数のポイントサービスに加入している顧客が貯めたポイントの失効を上手く低減することはできない。
【特許文献１】特開２００７−５８５５８号公報
【特許文献２】特開２００２−４１９３３号公報
【特許文献３】特開２００３−３０４１５号公報
【発明の開示】
【００１３】
本発明は、このような問題点に鑑み、複数のポイントサービスに加入している顧客が貯めたポイントの失効を従来よりも効果的に防止することを目的とする。
【００１４】
本発明の一実施形態に係るポイント付与支援システムは、景品またはサービスと引き換えるためのポイントを顧客に対して付与するための支援を行うポイント付与支援システムであり、次のような手段を有する。顧客が加入しているポイントサービスのポイント数を示すポイントデータを取得するポイント数データ取得手段と、前記ポイント数データ取得手段によって取得された前記ポイントデータに基づいて、ポイントサービス毎に、前記ポイントのうち、所定の期間内に失効する分の点数である失効予定点数を算出する、算出手段と、前記算出手段による算出結果に基づいて、前記失効予定点数が所定の点数以上であるポイントサービスを知らせる画面を表示する表示手段と、を有する。
【００１５】
好ましくは、顧客が加入しているポイントサービスの事業者が当該顧客に対して発行する会員カードを集約したカードであるマルチカードから情報を取得する情報取得手段、を有し、前記失効予定点数算出手段は、前記マルチカードに集約されている前記会員カードに係るポイントサービスごとの前記失効予定点数を算出する。
【００１６】
または、前記表示手段は、前記画面として、前記失効予定点数の価値が大きい順にポイントサービスの識別情報を優先的に配置した画面を表示する。
【００１７】
または、前記表示手段は、前記画面として、前記失効予定点数が失効するのが早い順にポイントサービスの識別情報を優先的に配置した画面を表示する。
【００１８】
または、前記表示手段は、前記画面として、何らかの景品またはサービスと引き換えることができる点数に近いポイントが貯まっているポイントサービスから順に当該ポイントサービスの識別情報を優先的に配置した画面を表示する。
【図面の簡単な説明】
【００１９】
【図１】端末装置のハードウェア構成の例を示す図である。
【図２】端末装置と他の装置との接続の例を示す図である。
【図３】端末装置の機能的構成の例を示す図である。
【図４】カード属性情報テーブルの例を示す図である。
【図５】失効管理パターンの例を示す図である。
【図６】カード使用履歴テーブルの例を示す図である。
【図７】ポイント交換率テーブルおよびパターン優先度テーブルの例を示す図である。
【図８】カード準備処理の流れの例を説明するフローチャートである。
【図９】設定用装置の外観の例を示す図である。
【図１０】失効間近点数等算出処理の流れの例を説明するフローチャートである。
【図１１】ポイント情報画面の例を示す図である。
【図１２】ポイント情報画面の例を示す図である。
【図１３】ポイント付与の際の端末装置の全体的な処理の流れの例を説明するフローチャートである。
【図１４】ポイント付与の際の端末装置の全体的な処理の流れの例を説明するフローチャートである。
【発明を実施するための最良の形態】
【００２０】
図１は端末装置１のハードウェア構成の例を示す図、図２は端末装置１と他の装置との接続の例を示す図、図３は端末装置１の機能的構成の例を示す図、図４はカード属性情報テーブルＴＬ１の例を示す図、図５は失効管理パターンの例を示す図、図６はカード使用履歴テーブルＴＬ２の例を示す図、図７はポイント交換率テーブルＴＬ３およびパターン優先度テーブルＴＬ４の例を示す図である。【００２１】
本発明に係る端末装置１は、商品を販売しまたはサービスを提供する店舗で使用されるＰＯＳ（Point of Sales）システムの端末装置である。端末装置１として、ＰＯＳレジまたはパーソナルコンピュータなどが用いられる。【００２２】
端末装置１は、図１に示すように、ＣＰＵ１０ａ、ＲＡＭ１０ｂ、ＲＯＭ１０ｃ、ハードディスク１０ｄ、ディスプレイ１０ｅ、操作ボタン１０ｆ、通信インタフェース１０ｇ、および入出力インタフェース１０ｈなどによって構成される。【００２３】
通信インタフェース１０ｇは、図２に示すように、ＰＯＳシステムのホスト２３またはポイントサービス（「マイレージサービス」などと呼ばれることもある。）のポイントを一元的に管理するポイント管理装置２１と接続するための、インタフェースである。通信インタフェース１０ｇとして、ＮＩＣ（Network Interface Card）またはモデムなどが用いられる。【００２４】
入出力インタフェース１０ｈは、図２に示すように、クレジットカード会社または信販会社のオーソリセンタと接続するためのＣＡＴ（Credit Authorization Terminal）端末２２およびカードリーダライタ１ＲＷなどと接続するための、インタフェースである。入出力インタフェース１０ｈとして、ＵＳＢ、ＩＥＥＥ１３９４、またはＲＳ−２３２Ｃなどが用いられる。【００２５】
操作ボタン１０ｆは、顧客が購入した商品の金額および商品コードなどを店員が入力するために用いられる。端末装置１にバーコードリーダが繋がれている場合は、店員は、操作ボタン１０ｆの代わりにバーコードリーダを用いて金額および商品コードなどを入力することができる。また、操作ボタン１０ｆは、後に説明するように、どのポイントサービスのポイントの付与を受けるのを顧客が希望しているのかを指定するためにも、使用される。ディスプレイ１０ｅは、後に説明するポイント情報画面ＨＧ１などの画面を表示する。【００２６】
ＲＯＭ１０ｃまたはハードディスク１０ｄには、従来と同様にＰＯＳシステムのホストと連携して売上管理または在庫管理などの処理を行うためのソフトウェアがインストールされている。【００２７】
さらに、ＲＯＭ１０ｃまたはハードディスク１０ｄには、図２に示すような取引情報取得部１０１、カード情報取得部１０２、金額対応点数等算出部１２１、不足点数算出部１２２、失効間近点数算出部１２３、ポイント情報表示処理部１２４、付与カード決定処理部１３１、およびポイント付与制御部１３２などの機能を実現するためのプログラムおよびデータがインストールされている。これらのプログラムおよびデータは必要に応じてＲＡＭ１０ｂにロードされ、ＣＰＵ１０ａによってプログラムが実行される。【００２８】
以下、Ａ、Ｂ、Ｃ、Ｄ、Ｅ、Ｆ、Ｇ、Ｈ、Ｉ、Ｊ、Ｌカードの１１の事業主が発行する会員カードを取り扱っており、これらのポイントサービスのポイントの付与が可能である「ショップＸ」で使用される端末装置１Ｘを例に挙げながら、端末装置１の説明を行う。これらの会員カードとして、ＩＣカードが用いられる。【００２９】
ショップＸで商品を購入した顧客は、その代金に応じたポイントとして、上記の９つのポイントサービスのポイントのうちのいずれかを付与（加算）してもらうことができる。この際に、顧客は、従来通り、どのポイントサービスのポイントを付与してもらうのかを自分自身で決め、そのポイントサービスの会員カードを店員に渡す。【００３０】
そして、顧客は、自分が獲得したポイントと引換えに、そのポイントの付与元（会員カードの発行元）から景品を貰ったりサービスを受けたりすることができる。【００３１】
または、顧客は、マルチカードサービスに加入している場合は、上記の会員カードの代わりに本サービス用のカードを店員に渡すことができる。この場合は、後に説明するポイント情報画面ＨＧ１を参考にしながら、使用する会員カード（つまり、どのポイントサービスのポイントを付与してもらうか）を簡単に選択することができる。または、使用する会員カードを端末装置１に自動的に決めさせることもできる。【００３２】
「マルチカードサービス」とは、複数のポイントサービスの会員カードの機能を１枚のカードに集約して使えるサービスである。会員カードの発行元が多数集まって団体を形成しマルチカードサービスの運営を行ってもよいし、ＩＳＰ（Internet Service Provider）などがマルチカードサービスの運営を行ってもよい。【００３３】
以下、複数の発行元の会員カードの機能が集約されたカードを「マルチカード３０」と記載する。上記のＡカード〜Ｉカードの機能も、マルチカード３０に集約することができる。そのほか、ショップＸが取り扱っていない会員カードの機能も集約することができる。マルチカード３０として、ＩＣカードが用いられる。以下、Ａ〜Ｋカードの１１の事業主が発行する会員カードが集約されたマルチカード３０が使用される場合を例に説明する。【００３４】
マルチカード３０には、カード属性情報テーブルＴＬ１、カード使用履歴テーブルＴＬ２、ポイント交換率テーブルＴＬ３、およびパターン優先度テーブルＴＬ４が記憶されている。【００３５】
カード属性情報テーブルＴＬ１には、図４に示すように、そのマルチカード３０の持ち主が加入している会員カードごとの種々の属性に関する情報が格納されている。「カード名称」は、会員カードの名称を示す。これは、ポイントサービスの名称を示しているとも言える。【００３６】
ところで、一般に、ポイントの有効期間つまり失効のタイミングの規則は、ポイントサービスごとに様々である。例えば次のパターン１〜３のように規則が定められていることが多い。
（パターン１）  会員カードを最後に使用した日（以下、「最終使用日」と記載する。）から所定の期間Ｔａだけ、貯まっているポイントのすべてを有効とする。この所定の期間Ｔａが経過したら、貯まっているポイントのすべてを失効させる。最終使用日は会員カードが使用されることによって更新されるので、パターン１の場合は、図５（ａ）のように、有効期限日が変動し得る。
（パターン２）  会員カードが発行された日（以下、「カード発行日」と記載する。）から所定の期間Ｔｂだけ、貯まっているポイントのすべてを有効とする。この所定の期間Ｔｂが経過したら、貯まっているポイントのすべてを失効させる。カード発行日は不変なので、パターン２の場合は、図５（ｂ）のように、すべてのポイントの有効期限日が共通でありかつ不変である。
（パターン３）  図５（ｃ）のように、ポイントが付与された日（以下、「ポイント付与日」と記載する。）から所定の期間Ｔｃだけ、そのポイントを有効とする。この所定の期間Ｔｃが経過したら、そのポイントを失効させる。したがって、パターン３の場合は、同一の会員（顧客）に対して付与されたポイントであっても、有効期限日がポイントごとに異なることがある。【００３７】
図４のカード属性情報テーブルＴＬ１の説明に戻って、「失効管理パターン」は、会員カードに貯まっているポイントの失効の規則のパターンを示す。【００３８】
「有効期間」は、その会員カードの失効管理パターンが「パターン１」であれば所定の期間Ｔａの長さを示し、「パターン２」であれば所定の期間Ｔｂの長さを示し、「パターン３」であれば所定の期間Ｔｃの長さを示す。【００３９】
「単位ポイント価値」は、ポイント１点あたりの価値を「円」で示している。「最小交換可能点数」は、何らかの景品またはサービスと交換するために必要な点数を示す。「１点付与の買物金額」は、何円分の買物が行われた際に顧客に対して１点のポイントを付与するのかを示す。【００４０】
「有効期限日」は、会員カードに貯まっているポイントの有効期限日を示す。ただし、パターン３の会員カードの場合は、現在有効なポイントの有効期限日のうち最も古いものを示す。「最終使用日」は、会員カードが最後に使われた日を示す。「保有点数」は、会員カードに貯まっているポイントの点数を示す。【００４１】
カード使用履歴テーブルＴＬ２には、図６に示すように、そのマルチカード３０の持ち主が加入している会員カードごとの使用の履歴の情報が格納されている。各項目の意味は、後に説明する。【００４２】
ポイント交換率テーブルＴＬ３には、図７（ａ）のように、ある会員カードのポイントを他の会員カードのポイントに交換する際の交換率が示されている。パターン優先度テーブルＴＬ４には、図７（ｂ）のように、マルチカード３０の持ち主がどの失効管理パターンのポイントサービスのポイントを優先的に付与してもらいたいかが示されている。【００４３】
そのほか、マルチカード３０には、集約されている各会員カードのカードＩＤ、持ち主の氏名、マルチカード３０自身の識別番号、後述する自動選択フラグ５ＦＧ、参照項目情報５ＳＫ、および失効着目期間Ｔｓなどが記憶されている。【００４４】
〔マルチカード３０を使用可能にするための準備の処理〕
図８はカード準備処理の流れの例を説明するフローチャート、図９は設定用装置４の外観の例を示す図である。【００４５】
上述の通り、マルチカード３０には様々な情報が記憶されている。そのうちの一部は、使用を開始する前に予めマルチカード３０に記憶させておかなければならない。以下、マルチカード３０を使用可能にするための準備の処理について詳細に説明する。【００４６】
マルチカード３０を使用することを希望する者は、マルチカードサービスに加入しなければならない。加入の手続を行う際に、自分の氏名、所有する会員カードのカードＩＤおよび発行元、会員カードの自動選択を行うか否か、自動選択の際に参照する項目、期限切れ何ヶ月前までのポイントについて通知してもらいたいか、またはどの失効管理パターンの会員カードに対して優先的にポイントを付与してもらいたいかを、本サービスの運営者に伝える。【００４７】
係る手続は、希望者が所定の申請用紙をマルチカードサービスの運営者に提出することによって行ってもよいし、インターネット上に開設しているＷｅｂサーバに申請用のＷｅｂページを運営者が用意しておき、希望者がオンラインで行うことができるようにしてもよい。【００４８】
運営者は、希望者から伝えられた内容を、カードリーダライタが繋がれているコンピュータ（例えば、パーソナルコンピュータ）に入力する。各会員カードの単位ポイント価値および最小交換可能点数が分かっている場合は、それらも入力する。このカードリーダライタに、新しいマルチカード３０をセットする。そして、所定のコマンドをこのコンピュータに入力する。すると、このコンピュータは、図８に示すような手順の処理を実行する。【００４９】
空のカード属性情報テーブルＴＬ１（図４参照）およびカード使用履歴テーブルＴＬ２（図６参照）を、カードリーダライタにセットされているマルチカード３０に作成する（＃１１）。カード属性情報テーブルＴＬ１には、会員カードごとに１つずつレコードを用意しておく。【００５０】
各レコードに、それに対応する会員カードの入力された名称（カード名称）を格納する（＃１２）。さらに、各レコードに、それに対応する会員カードのポイントの有効期間（Ｔａ、Ｔｂ、またはＴｃ）および失効管理パターンを格納する（＃１３）。有効期間および失効管理パターンの情報は、各会員カードの発行元のシステムにアクセスして取得すればよい。または、運営者が入力してもよいし、これらの情報を集めたデータベースを端末装置１に予め用意しておきこれを参照してもよい。【００５１】
期限切れ何ヶ月前までのポイントについて通知してもらいたいかが入力された場合は（＃１４でＹｅｓ）、その期間を、失効着目期間Ｔｓとして、マルチカード３０に書き込む（＃１５）。会員カードの単位ポイント価値が入力された場合は（＃１６でＹｅｓ）、その会員カードのレコードにそれを格納する（＃１７）。会員カードの最小交換可能点数が入力された場合は（＃１８でＹｅｓ）、その会員カードのレコードにそれを格納する（＃１９）。【００５２】
失効着目期間Ｔｓ、単位ポイント価値、および最小交換可能点数の情報についても、有効期限および失効管理パターンの場合と同様に、会員カードの発行元のシステムにアクセスして取得してもよいし、これらの情報を集めたデータベースを端末装置１に予め用意しておきこれを参照してもよい。【００５３】
どの失効管理パターンのポイントサービスのポイントを優先的に付与してもらいたいかが入力された場合は（＃２０でＹｅｓ）、それを示すパターン優先度テーブルＴＬ４（図７（ｂ）参照）を生成しマルチカード３０に記憶させる（＃２１）。【００５４】
会員カードの自動選択を行うか否かが入力され、さらに自動選択の際に参照する項目が入力された場合は（＃２２でＹｅｓ）、自動選択を行うか否かを示す自動選択フラグ５ＦＧを生成しマルチカード３０に書き込むとともに、その項目の情報を参照項目情報５ＳＫとしてマルチカード３０に書き込む（＃２３）。【００５５】
マルチカード３０に今回集約された会員カードとして、ポイントを他のポイントサービスのポイントに交換することができるポイントサービスの会員カードが含まれていれば（＃２４でＹｅｓ）、その交換率を示すポイント交換率テーブルＴＬ３（図７（ａ）参照）を生成しマルチカード３０に書き込む（＃２５）。交換率の情報も、有効期限などの場合と同様に、会員カードの発行元のシステムにアクセスして取得してもよいし、これらの情報を集めたデータベースを端末装置１に予め用意しておきこれを参照してもよい。【００５６】
以上のような処理によって、マルチカード３０が使用可能になる。そして、マルチカード３０が希望者に渡される。【００５７】
または、図９に示すような、ＣＤ（Cash Dispenser）またはＡＴＭ（Automatic Teller Machine）程度の大きさであり、かつ、タッチパネルおよびカードリーダライタを有する、設定用装置４を、店舗ごとに設置しておいてもよい。そして、図８で説明した処理を行うのに必要なプログラムをこの設定用装置４にインストールしておき、希望者が自ら操作してマルチカード３０の設定を行えるようにしてもよい。または、端末装置１に、このプログラムをインストールしておき、店員がマルチカード３０の設定の操作を行えるようにしてもよい。【００５８】
〔マルチカード３０が使用された場合のポイントの付与の処理〕
図１０は失効間近点数等算出処理の流れの例を説明するフローチャート、図１１および図１２はポイント情報画面ＨＧ１の例を示す図である。【００５９】
次に、図２に示す端末装置１Ｘの各部の、ポイントの付与の際の処理内容について、詳細に説明する。【００６０】
顧客は、ショップＸで買物をして代金を支払う際に、自分のマルチカード３０を店員に渡す。店員は、受け取ったマルチカード３０をカードリーダライタ１ＲＷにセットするとともに、操作ボタン１０ｆを操作して今回の買物の金額および商品コードなどを入力する。すると、図２の取引情報取得部１０１は、入力された情報を取得する。【００６１】
カード情報取得部１０２は、マルチカード３０に記憶されている情報が必要に応じて読み出されるようにカードリーダライタ１ＲＷを制御する。【００６２】
金額対応点数等算出部１２１、不足点数算出部１２２、および失効間近点数算出部１２３は、そのマルチカード３０に集約されている会員カードのうちの、ショップＸでポイントの付与が可能なポイントサービスの会員カードについて、次に説明する種々の値を算出する。【００６３】
なお、上述の通り、本例のマルチカード３０にはＡカード〜Ｋカードが集約されているが、ショップＸではこれらの会員カードのうちＡカード〜Ｊカードのみを取り扱っている。よって、ここでは、Ａカード〜Ｊカードが金額対応点数等算出部１２１、不足点数算出部１２２、および失効間近点数算出部１２３の処理の対象になる。【００６４】
金額対応点数等算出部１２１は、会員カードごとに、今回の買物の代金に応じて付与すべきポイントの点数（以下、「金額対応点数」と記載する。）を、次の（１）式を用いて算出する。
ＦＰα＝ＤＫ／ＦＫα  ……  （１）
ただし、「ＦＰα」は、αカード（α＝Ａ、Ｂ、Ｃ、…、Ｊ）の金額対応点数である。「ＤＫ」は、今回の買物の代金の値である。「ＦＫα」は、αカードの、カード属性情報テーブルＴＬ１に示される「１点付与の買物金額」の値である。【００６５】
不足点数算出部１２２は、会員カードごとに、最小交換可能点数のポイントを貯めるのに必要な点数（つまり、最小交換可能点数に達成するのに不足している点数。以下、「不足点数」と記載する。）を、次の（２）式を用いて算出する。
ＬＰα＝ＳＰα−ＨＰα  ……  （２）
ただし、「ＬＰα」は、αカードの不足点数である。「ＳＰα」および「ＨＰα」は、それぞれ、αカードの、カード属性情報テーブルＴＬ１に示される「最小交換可能点数」および「保有点数」である。【００６６】
失効間近点数算出部１２３は、会員カードごとに、今から所定の期間（失効着目期間Ｔｓ）の経過後までの間に失効するポイントの点数（以下、「失効間近点数」と記載する。）を、図１０に示すような手順で算出する。【００６７】
この失効着目期間Ｔｓは、マルチカード３０に記憶されている失効着目期間Ｔｓである。ただし、これをマルチカード３０から読み出すことができなかった場合は（図１０の＃１０１でＮｏ）、端末装置１に設定されているデフォルトの期間を失効着目期間Ｔｓとする（＃１０２）。【００６８】
１枚目の会員カードに注目する（＃１０３）。このとき、マルチカード３０から読み出したカード属性情報テーブルＴＬ１の中の、その会員カードのレコードにも注目する。注目している会員カードの失効管理パターンがパターン１またはパターン２である場合は（＃１０４でＹｅｓ）、今から失効着目期間Ｔｓが経過するまでに有効期限日が訪れるのであれば（＃１０５でＹｅｓ）、現在の保有点数を失効間近点数とする（＃１０６）。訪れないのであれば（＃１０５でＮｏ）、「０点」を失効間近点数とする（＃１０７）。【００６９】
一方、注目している会員カードの失効管理パターンがパターン３である場合は（＃１０４でＮｏ）、マルチカード３０から読み出したカード使用履歴テーブルＴＬ２の中から、その会員カードの、今から失効着目期間Ｔｓを経過するまでに有効期限が訪れるポイントを検索する（＃１０８）。そして、それらのポイントの点数の合計を失効間近点数とする（＃１０９）。【００７０】
未注目の会員カードがある場合は、それについても１枚目の会員カードと同様に、ステップ＃１０４〜＃１０９の処理を適宜実行する。【００７１】
さらに、失効間近点数算出部１２３は、各会員カードの失効間近点数の価値（以下、「失効ポイント価値」と記載する。）を、次の（３）式を用いて算出する。
ＳＫα＝ＴＫα×ＦＰα  ……  （３）
ただし、「ＳＫα」はαカードの失効ポイント価値である。「ＴＫα」は、αカードの、カード属性情報テーブルＴＬ１に示される「単位ポイント価値」の値である。【００７２】
図２に戻って、ポイント情報表示処理部１２４は、金額対応点数等算出部１２１、不足点数算出部１２２、および失効間近点数算出部１２３による失効間近点数の算出結果およびマルチカード３０に記憶されているカード属性情報テーブルＴＬ１などに基づいて、図１１および図１２のようなポイント情報画面ＨＧ１をディスプレイ１０ｅに表示させる。【００７３】
図１１（ａ）に示すポイント情報画面ＨＧ１には、失効間近点数算出部１２３によって算出された失効間近点数が多い順に各会員カードの情報を並べたリストが配置されている。なお、所定の点数以上の失効間近点数がある会員カードのみを選出して配置してもよい。【００７４】
リストには、失効間近点数以外の情報も示されるが、そのうちの「カード名称」および「失効管理パターン」はカード属性情報テーブルＴＬ１に基づいている。「円換算」は、失効間近点数算出部１２３によって算出された失効ポイント価値である。【００７５】
「有効期限日」は、失効管理パターンがパターン１またはパターン２である会員カードについては、カード属性情報テーブルＴＬ１に基づいている。一方、パターン３である会員カードについては、カード使用履歴テーブルＴＬ２に示される、その会員カードの現在有効であるポイントのうち最古のポイントの有効期限日が、用いられる。【００７６】
「不足点数」および「今回付与点数」は、それぞれ。不足点数算出部１２２によって算出された不足点数および金額対応点数等算出部１２１によって算出された金額対応点数（つまり、今回の買物に応じて付与すべき点数）である。【００７７】
「達成フラグ」は、何らかの景品またはサービスとの交換が可能なだけポイントが貯まっているか否かを示す。具体的には、カード属性情報テーブルＴＬ１に示される「保有点数」と「今回付与点数」とを加算した点数が最小交換可能点数以上である場合に、交換が可能なポイントが貯まっていることを意味する「今回達成」が示される。カード属性情報テーブルＴＬ１に示される「保有点数」が既に最小交換可能点数以上である場合は、「達成済」が示される。【００７８】
「提携カード」は、その会員カードのポイントをどの会員カードのポイントに交換できるのかを示している。これは、ポイント交換率テーブルＴＬ３（図７（ａ）参照。）に基づいている。【００７９】
店員は、買物をする顧客にこのポイント情報画面ＨＧ１を見せて、どの会員カードにポイントを追加するのかを尋ねる。【００８０】
また、店員は、他の項目に基づいて会員カードの情報を並べ替えて顧客に見せることもできる。店員が有効期限順タブＴＧ１２を押すと、ポイント情報表示処理部１２４は、図１１（ｂ）のように、有効期限順の近いポイントが貯まっている順に会員カードの情報を並べた状態でポイント情報画面ＨＧ１を表示し直す。店員が不足ポイント少順タブＴＧ１３を押すと、ポイント情報表示処理部１２４は、図１２（ａ）のように、不足点数が少ない順に会員カードの情報を並べた状態でポイント情報画面ＨＧ１を表示し直す。ユーザがパターン順タブＴＧ１４を押すと、ポイント情報表示処理部１２４は、図１２（ｂ）のように、優先順位が高い失効管理パターンの順に会員カードの情報を並べた状態でポイント情報画面ＨＧ１を表示し直す。優先順位は、パターン優先度テーブルＴＬ４（図７（ｂ）参照）に基づいている。【００８１】
顧客は、これらのポイント情報画面ＨＧ１を見ながら、どの会員カードにポイントを貯めるのかを決め、店員に申し出る。店員は、ポイントを貯める会員カードをポイント情報画面ＨＧ１のリストの中から選択し、付与ボタンＢＮ１１を押す。【００８２】
図２に戻って、付与カード決定処理部１３１は、どの会員カードに対してポイントを付与するかを、次のように決定する。【００８３】
マルチカード３０から読み出した自動選択フラグ５ＦＧが「オフ」を示している場合は、ポイント情報画面ＨＧ１で選択された会員カードに対してポイントを付与すると決定する。【００８４】
一方、自動選択フラグ５ＦＧが「オン」である場合は、マルチカード３０から読み出した参照項目情報５ＳＫに示される項目に基づいて、ポイントを付与する会員カードを決定する。【００８５】
例えば、参照項目情報５ＳＫに「失効ポイント」と示されている場合は、失効間近点数が最も多いポイントが貯まっている会員カードに決定する。または、「有効期限日」と示されている場合は、有効期限日が最も近くに迫っているポイントが貯まっている会員カードに決定する。「不足点数」と示されている場合は、不足点数が最も少ない（つまり、最小交換点数に最も近い）ポイントが貯まっている会員カードに決定する。【００８６】
ただし、パターン２の場合は、有効期限が切れてしまっている会員カードに新たにポイントを貯めても無駄である。そこで、ポイント情報表示処理部１２４は、有効期限が切れているパターン２の会員カードの情報をリストに含まないように、ポイント情報画面ＨＧ１を表示する。また、付与カード決定処理部１３１は、有効期限が切れているパターン２の会員カードを自動選択しないようにする。【００８７】
ポイント付与制御部１３２は、付与カード決定処理部１３１によって決定された会員カードに対してポイントが付与されるように、カードリーダライタ１ＲＷを制御する。今回の買物およびポイントの付与の実績の情報がマルチカード３０に書き込まれるように、カードリーダライタ１ＲＷを制御する。なお、何点分のポイントを付与するかは、既に金額対応点数等算出部１２１によって算出されている。【００８８】
すると、カードリーダライタ１ＲＷは、マルチカード３０に記憶されているカード属性情報テーブルＴＬ１のうちの、その会員カードのレコードを、次のように更新する。「最終使用日」を本日の日付に更新する。「保有点数」に、今回付与する点数を加算する。その会員カードの失効管理パターンがパターン１である場合は、「有効期限日」を、本日から「有効期間」の経過後の日付に更新する。【００８９】
さらに、カードリーダライタ１ＲＷは、マルチカード３０の使用日（つまり、本日の日付）、ポイントを付与した会員カードの名称（カード名称）、今回の買物の金額（買物金額）、今回付与されたポイントの点数（付与点数）、そのポイントの有効期限日、および状態フラグを含むレコードをカード使用履歴テーブルＴＬ２（図６参照）に追加する。この時点では、状態フラグの値は、そのポイントが有効であることを意味する「１」である。【００９０】
なお、ポイントがポイント管理装置２１によって一元的に管理されている場合は、ポイント付与制御部１３２は、今回付与するポイントの点数および付与先の会員カードのカードＩＤなどの情報とともに、ポイントを付与すべき指令をポイント管理装置２１に対して送信すればよい。すると、ポイント管理装置２１は、送信されてきた情報に基づいて、ポイントの付与の処理を行う。【００９１】
そのほか、カードリーダライタ１ＲＷは、適宜、カード属性情報テーブルＴＬ１およびカード使用履歴テーブルＴＬ２のレコードを、次のように更新する。【００９２】
カード使用履歴テーブルＴＬ２のレコードのうち、有効期限日が過ぎてしまったレコードを検索し、そのレコードの「状態フラグ」を、失効したことを意味する「２」に更新する。また、景品またはサービスとの交換に使用されたポイントのレコードの「状態フラグ」を、使用されたことを意味する「３」に更新する。また、カード属性情報テーブルＴＬ１の中の、失効管理パターンがパターン３である会員カードのレコードについては、カード使用履歴テーブルＴＬ２の中の、状態フラグが「１」である最古のレコードの有効期限日と同じ日付が示されるように、更新する。【００９３】
図１３および図１４はポイント付与の際の端末装置１の全体的な処理の流れの例を説明するフローチャートである。【００９４】
次に、ポイントの付与の処理の手順を、図１３および図１４のフローチャートを参照しながら詳細に説明する。【００９５】
端末装置１は、マルチカード３０に記憶されている情報をカードリーダライタ１ＲＷに読み取らせる（図１３の＃６１）。今回の買物の金額の入力を受け付ける（＃６２）。【００９６】
マルチカード３０に集約されている会員カードのうち、ショップＸで取り扱っている会員カードについて、失効着目期間Ｔｓ以内に失効してしまうポイントの点数（失効間近点数）を算出する（＃６３〜＃６６）。そのほか、金額対応点数および不足点数も算出する。【００９７】
算出した各種の点数およびマルチカード３０から読み出した各種の情報に基づいて、店員が押したタブに応じて各会員カードの情報を並べ替えた状態で、図１１または図１２のようなポイント情報画面ＨＧ１を適宜表示する（＃６７〜＃７０）。【００９８】
自動選択フラグ５ＦＧが「オフ」である場合は（図１４で＃７１でＮｏ）、ポイント情報画面ＨＧ１のリストの中から選択された会員カードのポイントサービスのポイントを付与する（＃７２、＃７９）。【００９９】
自動選択フラグ５ＦＧが「オン」である場合は（＃７１でＹｅｓ）、参照項目情報５ＳＫに基づいて、ポイントを付与する会員カードを自動的に決定する。すなわち、「失効ポイント」と示されている場合は（＃７３でＹｅｓ）、失効間近点数が最も多いポイントが貯まっている会員カードに決定する（＃７４）。「有効期限日」と示されている場合は（＃７５でＹｅｓ）、有効期限日が最も近くに迫っているポイントが貯まっている会員カードに決定する（＃７６）。「不足点数」と示されている場合は（＃７７でＹｅｓ）、不足点数が最も少ない（つまり、最小交換点数に最も近い）ポイントが貯まっている会員カードに決定する（＃７８）。または、今回ポイントを付与すれば最小交換可能点数に達する会員カードまたは既に最小交換可能点数を超えている会員カードに決定してもよい。そして、決定した会員カードに対してポイントを付与する（＃７９）。【０１００】
今回の買物およびポイントの付与の内容を示すレコードをカード使用履歴テーブルＴＬ２に追記し（＃８０）、カード属性情報テーブルＴＬ１の中のポイントの付与先の会員カードのレコードを更新する（＃８１）。【０１０１】
本実施形態によると、顧客が貯めたポイントの情報を、ポイントサービスつまり会員カードごとに表示する。しかも、これらの情報を、失効間近点数の多い順またはその価値の高い順、失効の期限が近い順、すぐ最小交換可能点数に近い順、または顧客の所望する失効管理パターンの順に優先的に上位に表示する。よって、複数のポイントサービスに加入している顧客が貯めたポイントの失効を従来よりも効果的に防止することができる。【０１０２】
本実施形態では、図１２（ａ）で説明したように、会員カードの情報を、不足点数の少ないものから優先的に上位に表示したが、最小交換可能点数に到達するのに必要な買物の金額の少ないものから優先的に上位に表示してもよい。【０１０３】
本実施形態では、会員カードの情報をすべてマルチカード３０から取得したが、一部または全部をポイント管理装置２１から取得するようにしてもよい。【０１０４】
最小交換可能点数を、顧客ごとに、顧客の所望する景品またはサービスに合わせて変更できるように構成してもよい。【０１０５】
その他、端末装置１の全体または各部の構成、処理内容、処理順序、テーブルの構成などは、本発明の趣旨に沿って適宜変更することができる。
【産業上の利用可能性】
【０１０６】
本発明は、特に、複数の会員カードを集約したマルチカードを取り扱うシステムのために好適に用いられる。
【図１】
2009047828.tif 000003
【図２】
2009047828.tif 000004
【図３】
2009047828.tif 000005
【図４】
2009047828.tif 000006
【図５】
2009047828.tif 000007
【図６】
2009047828.tif 000008
【図７】
2009047828.tif 000009
【図８】
2009047828.tif 000010
【図９】
2009047828.tif 000011
【図１０】
2009047828.tif 000012
【図１１】
2009047828.tif 000013
【図１２】
2009047828.tif 000014
【図１３】
2009047828.tif 000015
【図１４】
2009047828.tif 000016
【国際調査報告】
2009047828.tif 000017
2009047828.tif 000018
2009047828.tif 000019
2009047828.tif 000020